(57)【要約】【課題】テント全体構造が簡単で、開閉しやすいサイドサポート型ルーフテントを提供する。【解決手段】サイドサポート型ルーフテントは、テントフレーム１０およびテントフレーム１０内に取付けたテントシート２０を含み、テントフレーム１０はベース１、トップカバー２および少なくとも一本の支持連接杆３を含む。トップカバー２後端はベース１後端に枢設し、支持連接杆３はベース１とトップカバー２の間に設置する。支持連接杆３の一端はトップカバー２に連接し、別一端はベース１に連接する。テントシート２０はトップカバー２とベース１の間で組み合わされて設置し、トップカバー２前端とベース１前端の間のテントシート２０上には開口を形成する。【選択図】図１
2021513483.tif 000002
【特許請求の範囲】
【請求項１】
テントフレームおよびテントフレーム内に取付けたテントシートを含み、前記テントフレームはベース、トップカバーおよび少なくとも一本の支持連接杆を含むサイドサポート型ルーフテントにおいて、そのうち、
前記トップカバーの後端はベースの後端で枢設し、前記支持連接杆はベースとトップカバーの間に設置し、支持連接杆の一端はトップカバーに連接し、別一端はベースに連接し、前記テントシートはトップカバーとベースの間で組み合わされて設置し、トップカバー前端とベース前端の間のテントシート上には開口を形成することを特徴とするサイドサポート型ルーフテント。
【請求項２】
前記テントフレームの各支持連接杆は伸縮杆であり、支持連接杆の一端はトップカバー上で枢設し、別一端はベース上で枢設することを特徴とする請求項１記載のサイドサポート型ルーフテント。
【請求項３】
前記テントフレームの各支持連接杆はスクリュー杆であり、各支持連接杆の一端はトップカバーまたはベース上で枢設し、別一端はベースまたはトップカバー上で前後スライド設置することを特徴とする請求項１記載のサイドサポート型ルーフテント。
【請求項４】
前記テントフレームの両側は支持連接杆をそれぞれ設けることを特徴とする請求項２または３記載のサイドサポート型ルーフテント。
【請求項５】
前記トップカバーベース向き一端の外周には止め垣を設け、前記ベース最上面の外周には凸垣を上向きに設け、止め垣および凸垣は対応して設置され、前記テントシートは止め垣と凸垣の間に設けることを特徴とする請求項１記載のサイドサポート型ルーフテント。
【請求項６】
前記テントフレームは更に縦杆および横杆を有し、且つ開口が下向きのＵ型前側支持杆を含み、前側支持杆の二本の縦杆はベースの前端に枢設し、前記テントシートは前記前側支持杆の横杆上に被覆され、テントシートの開口は前側支持杆のＵ型開口内に形成することを特徴とする請求項１記載のサイドサポート型ルーフテント。
【請求項７】
前記前側支持杆の二本の縦杆は伸縮杆構造であることを特徴とする請求項６記載のサイドサポート型ルーフテント。
【請求項８】
前記テントフレームは更に少なくとも一本の上部支持杆を含み、上部支持杆の一端はトップカバーの前端に連接し、別一端は前側支持杆の横杆に連接することを特徴とする請求項６記載のサイドサポート型ルーフテント。
【請求項９】
前記上部支持杆は一本有し、前記上部支持杆の一端はトップカバーの前端中部に枢設固定し、別一端はＣ型掛合リングを設け、Ｃ型掛合リングは前側支持杆の横杆中部に取外し可能で係合されることを特徴とする請求項８記載のサイドサポート型ルーフテント。
【請求項１０】
前記上部支持杆は二本含み、二本の上部支持杆の一端はトップカバーの前端の両側に固定枢設し、別一端はＣ型掛合リングで前側支持杆の横杆両側に取外し可能で係合されることを特徴とする請求項８記載のサイドサポート型ルーフテント。
【発明の詳細な説明】
【技術分野】
【０００１】
本発明は、テントの技術領域に関し、特にサイドサポート型ルーフテントに係わる。
【背景技術】
【０００２】
自家用車の所有数が膨らむことにより、自身で運転して旅行することは新しいスタイルとなっている。自分で運転して旅行する利便性を高めるため、車両に取付ける製品が大きく伸びており、車用テントはこのような環境下で発展している。
【０００３】
車用テントは車上に設置するテントであり、使用時にはその他テントのように地面に設置しないため、地面の湿気に当たらず、快適に使用できる。典型的な車用テントの例を以下の先行技術文献に示す。
【先行技術文献】
【特許文献】
【０００４】
【特許文献１】中国実用新案第２０１５３１１４７号明細書
【特許文献２】中国実用新案第２０２１８７６０５号明細書
【特許文献３】中国実用新案第２０３２１３６９５号明細書
【発明の概要】
【発明が解決しようとする課題】
【０００５】
現在の車用テントのテントフレームは、一般にベースおよびベース上に設置したテントフレーム杆から構成される。テントフレーム杆は展開または折畳みでき、現在、テントフレーム杆の展開および折畳みには多種の構造形式があり、完全な手動操作、手振式の半自動操作、完全な自動操作がある。しかしながら、テント全体のフレーム構造はどれも複雑で、コストが高いため、市場価格が高止まりしている。
【０００６】
構造が簡単で、展開と折畳みがしやすく、且つコストが相対して低いサイドサポート型ルーフテントを提供することを本発明の目的とする。
【課題を解決するための手段】
【０００７】
上述の目的を達成するため、本発明の解決方法を以下に示す。
【０００８】
サイドサポート型ルーフテントは、テントフレームおよびテントフレーム内に取付けたテントシートを含み、テントフレームはベース、トップカバーおよび少なくとも一本の支持連接杆を含む。
そのうち、トップカバーの後端はベースの後端で枢設し、支持連接杆はベースとトップカバーの間に設置する。支持連接杆の一端はトップカバーに連接し、別一端はベースに連接する。テントシートはトップカバーとベースの間で組み合わされて設置し、トップカバー前端とベース前端の間のテントシート上には開口を形成する。
【０００９】
テントフレームの各支持連接杆は伸縮杆であり、支持連接杆の一端はトップカバー上で枢設し、別一端はベース上で枢設する。
【００１０】
テントフレームの各支持連接杆はスクリュー杆であり、各支持連接杆の一端はトップカバーまたはベース上で枢設し、別一端はベースまたはトップカバー上で前後スライド設置する。
【００１１】
テントフレームの両側は支持連接杆をそれぞれ設ける。
【００１２】
トップカバーベース向きの一端外周には止め垣を設け、ベース最上面の外周には凸垣を上向きに設ける。止め垣および凸垣は対応して設置され、テントシートは止め垣と凸垣の間に設ける。
【００１３】
テントフレームは更に縦杆および横杆を有し、且つ開口が下向きのＵ型前側支持杆を含み、前側支持杆の二本の縦杆はベースの前端に枢設する。テントシートは前側支持杆の横杆上に被覆され、テントシートの開口は前側支持杆のＵ型開口内に形成する。
【００１４】
前側支持杆の二本の縦杆は伸縮杆構造である。
【００１５】
テントフレームは更に少なくとも一本の上部支持杆を含み、上部支持杆の一端はトップカバーの前端に連接し、別一端は前側支持杆の横杆に連接する。
【００１６】
上部支持杆は一本有し、上部支持杆の一端はトップカバーの前端中部に枢設固定し、別一端はＣ型掛合リングを設け、Ｃ型掛合リングは前側支持杆の横杆中部に取外し可能で係合される。
上部支持杆は二本含み、二本の上部支持杆の一端はトップカバーの前端の両側に固定枢設し、別一端はＣ型掛合リングで前側支持杆の横杆両側に取外し可能で係合される。
【００１７】
ベースの底面には、更に車両最上部のキャリーフレームに係合する取付ガイドレールを設ける。
【００１８】
トップカバーとベースは少なくとも一個の蝶番で一つに枢設する。
【００１９】
支持連接杆は、止め垣および凸垣の内側に設ける。
【発明の効果】
【００２０】
本発明はテントフレームのトップカバー後端をベースの後端に直接枢設し、更にベースとトップカバーの間の支持連接杆に設置することでテントの開閉機能を実現し、テントを開閉する時、トップカバーの前端を相對ベースの前端に相対させて展開または収束させるだけで、テントシートがテントフレームと連動して開閉する。テント全体の構造が簡単で、開閉しやすく、コストが低く、市場競争力を有する。
【図面の簡単な説明】
【００２１】
【図１】本発明実施例１のテントフレームの立体分解図である。
【図２】本発明実施例１の展開側視図である。
【図３】本発明実施例１の開閉状態図である。
【図４】本発明実施例２のテントフレームの立体分解図である。
【図５】本発明実施例２のテントフレームの組立展開状態図である。
【図６】本発明実施例２の展開側視図である。
【図７】本発明実施例３のテントフレームの展開状態図である。
【図８】本発明実施例４のテントフレームの展開状態図である。
【発明を実施するための形態】
【００２２】
以下、図式とともに具体的な実施例を挙げて本発明作について詳述する。
【００２３】
図１から図８に示すのは、本発明のサイドサポート型ルーフテントであり、それはテントフレーム１０およびテントフレーム１０内に取付けたテントシート２０を含み、テントフレーム１０はベース１、トップカバー２および少なくとも一本の支持連接杆３を含む。
トップカバー２の後端はベース１の後端で枢設し、支持連接杆３はベース１とトップカバー２の間に設置する。支持連接杆３の一端はトップカバー２に連接し、別一端はベース１に連接する。テントシート２０はトップカバー２とベース１の間で組み合わされて設置し、トップカバー２前端とベース１前端の間のテントシート２０上には開口を形成する。
【００２４】
（一実施形態）
図１から図３は本発明の実施例１である。そのうち、ベース１の底部には取付ガイドレール４を設け、取付ガイドレール４を通じ、本発明を車両最上部のキャリーフレーム上に設置する。トップカバー２はフレーム構造または直接カバー板構造でもよく、ベース１とトップカバー２の枢設方式は多種類ある。本実施例において、両者は間隔を開けて設置した三個の蝶番で一つに枢設して係合し、トップカバー２の前端はベース１に相対して展開されたり、または折り畳まれたりする。
【００２５】
トップカバー２のベース１向きの一端外周には止め垣２１を設け、ベース１最上面の外周には凸垣１１を上向きに設ける。止め垣２１および凸垣１１は対応して設置され、テントシート２０は止め垣２１と凸垣１１の間に設ける。
【００２６】
支持連接杆３は一本または多数本を設ける。支持連接杆３の設置が一本の時テントフレーム１０の中部に直接設置してもいいし、テントフレーム１０の任意の一側に設置してもよい。テントの美観を更に高めるため、支持連接杆３は止め垣２１および凸垣１１の内側に設置してもよい。テントフレーム１０の強度および安定性を高めるため、本実施例において、テントフレーム１０は一本の支持連接杆３を両側対称に設け、支持連接杆３は手動制御を採用してもいいし、電動制御を採用しても良い。本実施例において、支持連接杆３は伸縮杆とする。弾性の伸縮杆または位置限定機構を有する伸縮カバー杆等の場合、支持連接杆３の一端はトップカバー２上に枢設し、別一端はベース１上に枢設する。支持連接杆３は更に電動制御のスクリュー杆を採用でき、スクリュー杆を採用する時、各支持連接杆３の一端はトップカバー２またはベース１上に枢設し、別一端はベース１またはトップカバー２上に前後にスライドして設置する。
【００２７】
図３に示すとおり、テントを折り畳む時、トップカバー２はベース１上に重ね合わせる。支持連接杆３およびテントシート２０がトップカバー２の止め垣２１とベース１の凸垣１１の間で収縮し、テント全体が折り畳まれた後の体積がきっちりとまとまり且つ美観を備える。仮に支持連接杆３が弾性伸縮杆でテントを折り畳む時、弾性伸縮杆は圧縮されてエネルギーが蓄積された状態で、トップカバー２の前端とベース１の前端はロックされて一つに掛合される。
【００２８】
図２に示すとおり、テントを展開して使用する時、手動または電動制御で支持連接杆３を持ち上げる。手動制御の時、トップカバー２の前端を持ち上げ、トップカバー２が支持連接杆３と共に上がる。仮に電動制御で支持連接杆３を持ち上げる時、トップカバー２は支持連接杆３の作用によってベース１の前端に相対して展開し、トップカバー２の前端がベース１に相対して展開する時、テントシート２０を伴い徐々に開く。支持連接杆３が最長まで伸びた時、トップカバー２はテントシート２０を真っ直ぐに伸び、テント全体の展開状態が達成される。
【００２９】
反対に、テントが展開状態から折り畳む時、同じく手動または電動的方式で支持連接杆３をベース１とトップカバー２内に収縮させる。手動制御時、トップカバー２の前端をベース１の前端方向へ押圧接合し、支持連接杆３が先に収縮した後ベース１方向へ合わさる。
仮に電動制御の時、支持連接杆３はトップカバー２を伴いベース１に合わさり、トップカバー２の前端とベース１の前端へ一つに合わさることで、テントシート２０はトップカバー２の収束に合わせ、まっすぐ伸びた状態から徐々に緩み、トップカバー２とベース１内に収まる。
【００３０】
（二実施形態）
図４から図６に示すのは、本発明の実施例２であり、実施例１と異なる点として、テントフレーム１０は更に前側支持杆５を含む。前側支持杆５は二本の縦杆５１および一本の横杆５２を有し且つ開口５３が下向きのＵ型湾曲管とする。前側支持杆５の二本の縦杆５１はベース１の前端に枢設し、テントシート２０は前側支持杆５の横杆５２上に被覆し、テントシート２０の開口は前側支持杆５のＵ型開口５３内に設ける。実施例２は実施例１と比較として、前側支持杆５を増設することでテントの空間を大きく増やし、テントを展開または折り畳む時、前側支持杆５はテントシート２０と連動して展開または収束される。折り畳む時、前側支持杆５をベース１とトップカバー２内にスムーズに収納するため、前側支持杆５の二本の縦杆５１は伸縮杆構造を採用する。折り畳む時、前側支持杆５の二本の縦杆５１の高度を適度に圧縮し、ベース１とトップカバー２内にスムーズに収納する。
テントを展開する時、前側支持杆５の二本の縦杆５１を高くすると、テントの使用空間が広がり、同時にテントから出入りしやすくなる。
【００３１】
（三実施形態）
図７に示すのは、本発明の実施例３であり、実施例２の基礎上に更に一上部支持杆６を増やす。上部支持杆６の一端はトップカバー２の前端に係合し、別一端は前側支持杆５の横杆５２に連接する。本実施例において、上部支持杆６の一端はトップカバー２の前端中部に枢設固定し、上部支持杆６の別一端はＣ型掛合リング６１を設ける。Ｃ型掛合リング６１は前側支持杆５の横杆５２中部で取り外しでき、テントの開閉をしやすくするため、上部支持杆６は本実施例においては伸縮杆とする。この他、上部支持杆６は更に二本の単方向連結の折杆を採用するか、またはその他構造で代替する。テントを展開する時、上部支持杆６でテントの支持強度を高めることで、同時にテントシートが下がるのを防止し、使用体験効果が更に向上する。
【００３２】
（四実施形態）
図８に示すのは本発明の実施例４であり、実施例３と異なる点として、実施例では、上部支持杆６を二本設置する。二本の上部支持杆６はテントの最上部両側に対称設置する。即ち、二本の上部支持杆６の一端はトップカバー２の前端の両側に枢設固定し、別一端はＣ型掛合リング６１を前側支持杆５の横杆５２両側に取外し可能にする。このようにしてテントシートの下垂を防止し、テントの内部空間を増やす。
【００３３】
総合すると、本発明はテントフレーム１０のトップカバー２後端をベース１後ろに直接枢設し、次にベース１とトップカバー２の間に設置した支持連接杆３でテントの開閉機能を実現する。テントを開閉する時、トップカバー２の前端をベース１の前端に相対して展開または収束するだけで、テントシート２０はテントフレーム１０と連動して開閉する。テント全体の構造が簡単で、開閉しやすく、コストが低く、市場競争力を有する。
【符号の説明】
【００３４】
１０    テントフレーム
２０    テントシート
１    ベース
１１    凸垣
２    トップカバー
２１    止め垣
３    支持連接杆
４    取付ガイドレール
５    前側支持杆
５１    縦杆
５２    横杆
５３    開口
６    上部支持杆
６１    Ｃ型掛合リング
【図１】
2021513483.tif 000003
【図２】
2021513483.tif 000004
【図３】
2021513483.tif 000005
【図４】
2021513483.tif 000006
【図５】
2021513483.tif 000007
【図６】
2021513483.tif 000008
【図７】
2021513483.tif 000009
【図８】
2021513483.tif 000010
【国際調査報告】
2021513483.tif 000011
2021513483.tif 000012
2021513483.tif 000013
2021513483.tif 000014